(57)【要約】【課題】人およびペットの両者にとって快適なペットハウスを提供すること。【解決手段】ペットハウス（１）は、底面（２１）と、頂部（２２）と、底面（２１）と頂部（２２）との中間高さに位置位置する座面（２３）と、底面（２１）と頂部（２２）の間に設けられる出入り口（３）とを備え、出入り口（３）の内部に位置する、ペットの居住空間（４）の高さは、座面（２３）の高さ位置よりも高い。【選択図】図３
2020048535.tif 000002
【特許請求の範囲】
【請求項１】
底面と、頂部と、前記底面と前記頂部との中間高さに位置する座面と、前記底面と前記頂部の間に設けられる出入り口とを備え、
前記出入り口の内部に位置する、ペットの居住空間の高さは、前記座面の高さよりも高い、ペットハウス。
【請求項２】
前記頂部は、前記底面と平行な平面である、請求項１に記載のペットハウス。
【請求項３】
前記座面は、前記底面と平行な平面である、請求項１または２に記載のペットハウス。
【請求項４】
前記底面と前記頂部と前記座面とは、一定方向に延在しており、
前記出入り口は、一定方向の両端に設けられる、請求項１〜３のいずれかに記載のペットハウス。
【請求項５】
前記頂部を境にして一方側には、前記頂部と前記底面とを連結する第１立壁面が形成され、
前記頂部を境にして他方側には、前記頂部と前記座面とを連結する第２立壁面と、前記座面と前記底面とを連結する第３立壁面が形成される、請求項１〜４のいずれかに記載のペットハウス。
【請求項６】
前記第１立壁面、前記第２立壁面および前記第３立壁面は、前記頂部に向かって収束する、請求項５に記載のペットハウス。
【請求項７】
前記底面から前記座面までの高さは、前記座面から前記頂部までの高さと略同一である、請求項５または６に記載のペットハウス。
【請求項８】
前記底面と前記第１立壁面とのなす角度の第１角度と、前記底面と前記第３立壁面とのなす第２角度とは、略同一であり、
前記第１立壁面と前記頂部とのなす角度の第３角度と、前記頂部と前記第２立壁面とのなす角度の第４角度と、前記座面と前記第３立壁面とのなす角度の第５角度とは、略同一である、請求項５〜７のいずれかに記載のペットハウス。
【請求項９】
前記居住空間は、前記座面の下方空間と区画壁によって分離される、請求項１〜８のいずれかに記載のペットハウス。
【発明の詳細な説明】
【技術分野】
【０００１】
この発明は、愛玩動物を飼育するためのペットハウスに関する。
【背景技術】
【０００２】
従来から、犬や猫などの愛玩動物を飼育する際に用いるペットハウスを、家具として使用することが知られている。このようなペットハウスとして、実用新案登録第３００５２４５号公報（特許文献１）および実開平１−１６７１５６号公報（特許文献２）が知られている。
【０００３】
特許文献１には、チェアの座部の下方空間をペットハウスとして利用することができるペットハウス付きチェアが開示されている。特許文献２には、全体として円筒形であり、内部をペットの居住区とするとともに、上部に植木を置いたり、子供の遊び場として利用できるペット舎が開示されている。
【先行技術文献】
【特許文献】
【０００４】
【特許文献１】実用新案登録第３００５２４５号公報
【特許文献２】実開平１−１６７１５６号公報
【発明の概要】
【発明が解決しようとする課題】
【０００５】
特許文献１および特許文献２のペットハウスは、ペットの居住区の上方の全体が座部または子供の遊び場などとして利用することができるため、人にとっては使い勝手が良いが、ペットにとっては快適なものではなかった。
【０００６】
本発明は、上記のような課題を解決するためになされたものであって、その目的は人およびペットの両者にとって快適なペットハウスを提供することを目的とする。
【課題を解決するための手段】
【０００７】
本発明の一態様に係るペットハウスは、底面と、頂部と、底面と頂部との中間高さに位置する座面と、底面と頂部の間に設けられる出入り口とを備え、出入り口の内部に位置する、ペットの居住空間の高さは、座面の高さよりも高い。
【０００８】
好ましくは、頂部は、底面と平行な平面である。
【０００９】
好ましくは、座面は、底面と平行な平面である。
【００１０】
好ましくは、底面と頂部と座面とは、一定方向に延在しており、出入り口は、一定方向の両端に設けられる。
【００１１】
好ましくは、頂部を境にして一方側には、頂部と底面とを連結する第１立壁面が形成され、頂部を境にして他方側には、頂部と座面とを連結する第２立壁面と、座面と底面とを連結する第３立壁面が形成される。
【００１２】
好ましくは、第１立壁面、第２立壁面および第３立壁面は、頂部に向かって収束する。
【００１３】
好ましくは、底面から座面までの高さは、座面から頂部までの高さと略同一である。
【００１４】
好ましくは、底面と第１立壁面とのなす第１角度と、底面と第３立壁面とのなす第２角度とは、略同一であり、第１立壁面と頂部とのなす第３角度と、頂部と第２立壁面とのなす第４角度と、座面と第３立壁面とのなす第５角度とは、略同一である。
【００１５】
好ましくは、居住空間は、座面の下方空間と区画壁によって分離される。
【発明の効果】
【００１６】
本発明によれば、人およびペットの両者にとって快適なペットハウスを提供することを目的とする。
【図面の簡単な説明】
【００１７】
【図１】本発明の実施の形態に係るペットハウスの使用状態を示す模式図である。
【図２】本発明の実施の形態に係るペットハウスの斜視図である。
【図３】本発明の実施の形態に係るペットハウスの正面図である。
【図４】本発明の実施の形態に係るペットハウスの外形を説明するための模式図である。
【図５】本発明の実施の形態に係るペットハウスの平面図である。
【図６】本発明の実施の形態に係るペットハウスの底面図である。
【図７】本発明の実施の形態に係るペットハウスの右側面図である。
【図８】本発明の実施の形態に係るペットハウスの左側面図である。
【図９】本発明の実施の形態に係るペットハウスの内部を透視した斜視図である。
【図１０】図７におけるＸ−Ｘ線に沿った断面図である。
【図１１】図１０におけるＸＩ−ＸＩ線に沿った断面図である。
【図１２】図１０におけるＸＩＩ−ＸＩＩ線に沿った断面図である。
【図１３】第１立壁面と底面が交わる角部を拡大して示す図である。
【図１４】底面に設けられる脚部の構成例を示す図である。
【図１５】敷地内におけるペットハウスの設置例を示す図である。
【図１６】敷地内におけるペットハウスの設置例を示す図である。
【図１７】本発明の実施の形態に係るペットハウスの積み上げ方法の一例を示す斜視図である。
【図１８】２つのペットハウスを入れ子状に積み上げた状態を示す正面図である。
【発明を実施するための形態】
【００１８】
本発明の実施の形態について図面を参照しながら詳細に説明する。なお、図中同一または相当部分には同一符号を付してその説明は繰り返さない。
【００１９】
＜ペットハウスについて＞
図１は、本発明の実施の形態に係るペットハウス１の使用状態を示す模式図である。図１を参照して、ペットハウス１は、内部にペットの内部空間４を有するとともに、人が腰を掛ける椅子（ベンチ）として利用することができる。ペットとは、たとえば犬、ネコ、小動物など、屋内または屋外で飼育される愛玩動物である。
【００２０】
図２〜図１４をさらに参照しながら、本実施の形態に係るペットハウス１の構成例について説明する。図２において、矢印Ａ１で示す高さを上下方向、矢印Ａ２で示す方向を左右方向、矢印Ａ３で示す奥行き方向を前方、その反対方向を後方であるとする。なお、他の図において矢印Ａ１、Ａ２，Ａ３で示す方向は、図２で示す方向と同様である。説明の便宜上、一定方向を奥行き方向であるとして説明するが、この方向に配置することに限定されるものではない。
【００２１】
本実施の形態に係るペットハウス１は、ハウス本体２と、出入り口３とを備える。ペットハウス１は、前方および後方が開放する筒形状であり、ハウス本体２の前方および後方に出入り口３が設けられる。つまり、ペットハウス１には、対向する２箇所の出入り口３が設けられる。このため、ペットハウス１は、背面視において図３と対称に表れる。
【００２２】
ハウス本体２は、たとえばポリエチレンなどのプラスチック（合成樹脂）で形成される。図３に示すように、ハウス本体２は、底面２１と、上面２２と、座面２３と、第１立壁面２４と、第２立壁面２５と、第３立壁面２６とを含み、これらの面２１〜２６は連続して設けられる。また、これらの面２１〜２６が交わる角部は、円弧状に形成されていてもよい。ハウス本体２の内部には、ペットの内部空間４が形成される。
【００２３】
図３，図６，図１０に示すように、底面２１は、奥行き方向に沿って延在する平面である。底面２１は、ペットハウス１を設置する場合に、たとえば床面、地面などの載置面７０に対して当接する部分である。底面２１には、載置面７０に向かって突出する複数の脚部５０，５１，５２が間隔をあけて設けられる。脚部５０，５１，５２については、後述する。
【００２４】
図２に示すように、上面２２は、奥行き方向に沿って延在し、底面２１と平行な平面である。上面２２は、ペットの内部空間４の天井および屋根として機能するとともに、置物などを載置するテーブルとしての機能も有する。なお、底面２１と平行な状態とは、単に底面２１の延びる方向に対して平行に延びている状態だけでなく、底面２１に対して多少斜め方向に傾斜している状態や、湾曲している状態も含まれる。なお、上面２２は、頂部の一例である。
【００２５】
座面２３は、奥行き方向に沿って延在し、底面２１および上面２２と平行な平面である。これにより、上面２２と座面２３とは、階段状に設けられる。また、座面２３は、図１に示すように、人が座ることができる座部として機能する。座面２３は、人と犬などのペットが並んで座ることができる広さを有していることが好ましく、奥行き方向の寸法が５００ｍｍ〜１５００ｍｍである。また、座面２３は、底面２１と上面２２との中間高さに位置する。具体的には、図４に示すように、底面２１から座面２３までの高さＨ１は、座面２３から上面２２までの高さＨ２と略同一である。ここでの略同一とは、両者の寸法の差が１００ｍｍ以下であればよく、５０ｍｍ以下であることが望ましい。また、中間高さは、底面２１と上面２２の中間に限定されるものではなく、底面２１と上面２２との間の高さを指すものとする。なお、図４は、本発明の実施の形態に係るペットハウス１の外形を説明するための模式図である。
【００２６】
第１立壁面２４は、上面２２を境にして左方（一方側）に設けられ、上面２２の端部と底面２１の端部とを連結する面である。第１立壁面２４は、底面２１に向かうにつれ内部空間４を広げるように傾斜する傾斜面である。
【００２７】
第２立壁面２５は、第１立壁面２４と対向して設けられる。第２立壁面２５は、上面２２を境にして右方（他方側）に設けられ、上面２２の端部と座面２３の端部とを連結する面である。第２立壁面２５は、人が座面２３に座った場合に背もたれとして機能する。第２立壁面２５は、座面２３に向かうにつれ内部空間４を広げるように傾斜する傾斜面である。これにより、第２立壁面２５は、上面２２に向かって収束して設けられるため、背もたれとして好ましい角度となる。
【００２８】
第３立壁面２６は、第１立壁面２４と対向して設けられる。第３立壁面２６は、上面２２を境にして右方（他方側）に設けられ、座面２３の端部と底面２１の端部とを連結する。第３立壁面２６は、底面２１に向かうにつれ内部空間４を広げるように傾斜する傾斜面である。
【００２９】
このように、第１〜３立壁面２４〜２６は、上面２２に向かって収束する。つまり、第１立壁面２４および第２，３立壁面２５，２６は、上面２２から底面２１に向かって末広がりに傾斜する傾斜面である。これにより、ペットハウス１全体の重心を下げることができるため、安定感を持たせることができる。また、ペットハウス１は、可愛らしい印象の外形となり、意匠性を向上することができるとともに、ペットの体格に合った形状とすることができる。
【００３０】
図４を参照して、底面２１と第１立壁面２４とのなす角度の第１角度θ１と、底面２１と第３立壁面２６とのなす角度の第２角度θ２とは、略同一である。これにより、第１立壁面２４と第３立壁面２６とは、同一角度で傾斜する。ここでの略同一とは、両者の角度の差が１０度以下であればよく、５度以下であることが望ましい。
【００３１】
また、上述のように、底面２１と上面２２と座面２３とは平行に設けられる。上面２２と第２立壁面２５とのなす角度の第４角度θ４と、座面２３と第３立壁面２６とのなす角度の第５角度θ５とは、略同一である。そのため、第２立壁面２５と第３立壁面２６とは、平行に設けられる。さらに、第１立壁面２４と上面２２とのなす角度の第３角度θ３と、上述した第４角度θ４および第５角度θ５とは、略同一である。これにより、第３角度θ３と、第４角度θ４および第５角度θ５とは、同一角度で傾斜する。これにより、図１７に示すように、２つのペットハウス１を入れ子状に組み合わせることができる。詳細については、下述する。ここでの略同一とは、両者の角度の差が１０度以下であればよく、５度以下であることが望ましい。
【００３２】
なお、図１３（ａ）に示すように、第１立壁面２４と底面２１とが交わる角部が円弧状に形成されている場合は、第１立壁面２４と底面２１との円弧部２４ａに支持部６０が取り付けられていてもよい。図１３（ｂ）に示すように、支持部６０は、台座部６１と、台座部６１から突出する突出部６２と、円弧部２４ａに固定する固定部６３とを有する。突出部６２にワイヤ６４を通して、ワイヤ６４を載置面７０に固定することでペットハウス１を載置面７０に固定することができる。
【００３３】
ペットハウス１の外形を形成する面２１〜２６の内部には、ペットの内部空間４が形成される。図９，図１０に示すように、内部空間４には、座面２３の下方空間を閉塞する区画壁４４が設けられている。区画壁４４は、平板状であり、ペットハウス１の前後方向に沿って延びている。具体的には、区画壁４４は、第２立壁面２５に沿って、第２，３立壁面２５，２６と平行に設けられる。区画壁４４を設けることで、内部空間４は、上面２２の下方に位置する第１空間４１と、座面２３の下方に位置する第２空間４２とに分離される。第１空間４１の高さＨ３は、座面２３の高さＨ４よりも高い。これにより、座面２３がペットの内部空間４の上方に設けられないため、人もペットも快適に過ごすことができる。
【００３４】
第１空間４１は、ペットが居住する居住空間である。第２空間４２は、閉鎖空間であり、ペットが侵入することができない非居住空間である。そのため、第１空間４１には、ペットが快適に過ごすことができる様々な工夫が施されている。
【００３５】
図１０，図１２に示すように、第１空間４１の底面２１上には、木製のスノコ４５が設けられていてもよい。スノコ４５は、平板状の板材と、板材の下方に取り付けられた、４本の細長い角材とを含む。スノコ４５と底面２１との間には、スノコ４５の嵩を上げる嵩上げ部４６が設けられていてもよい。嵩上げ部４６は、木製であり、４本の細長い角材で形成される。嵩上げ部４６の角材は、スノコ４５の角材と直交するように設けられる。
【００３６】
内部空間４の前方端および後方端には化粧板３０が設けられてもよい。化粧板３０は、第１空間４１を取り囲むように設けられる枠部３１と、第２空間４２を閉鎖するように設けられる被覆部３２とを含む。枠部３１により囲まれる部分には、出入り口３が形成される。これにより、出入り口３は、第１空間４１の前方および後方、つまり、ハウス本体２の奥行き方向両端に設けられる。なお、本実施の形態では、出入り口３は、化粧板３０の枠部３１により囲まれる部分であるとしたが、化粧板３０が設けられていない場合であっても、底面２１と上面２２の間に設けられていればよい。また、化粧板３０は、ハウス本体２の面２１〜２６の奥行方向両端部から連続して設けられてもよいし、ハウス本体２とは別の部材で設けられていてもよい。
【００３７】
枠部３１は、ハウス本体２の上面２２、底面２１、第１立壁面２４および第２立壁面２５の端部において、第１空間４１側に向かって突出するように設けられる。被覆部３２は、枠部３１、座面２３、第３立壁面２６および底面２１に連続して設けられ、第２空間４２を閉鎖するように設けられる。
【００３８】
図１０に示すように、底面２１からの枠部３１の上縁までの高さＨ５は、スノコ４５の上面の高さＨ６と略同一である。これにより、ペットが第１空間４１に入る際に、枠部３１が邪魔になることがない。また、ペットが居住する第１空間４１を載置面７０よりも高くすることができるため、ペットハウス１を屋外に載置した場合に、内部空間４内に雨が浸水することを防止することができる。また、スノコ４５を枠部３１で隠すことができるため、ペットハウス１の意匠性を向上させることができる。
【００３９】
次に、図６，図１１，図１４を参照して、底面２１に設けられる第１〜３脚部５０，５１，５２について説明する。
【００４０】
底面２１には、形状が異なる３種類の第１〜３脚部５０，５１，５２が整列して９つ設けられる。第１〜３脚部５０，５１，５２の概略構成は同一であるが、貫通孔５５または水抜き穴５４が形成される点で異なる。
【００４１】
図１１に示すように、第１脚部５０は、出入り口３の横幅方向に沿ってそれぞれ２つずつ設けられる。具体的には、図１４に示すように、第１脚部５０は、平面視略矩形形状の脚部本体５３と、水抜き穴５４と、ボルト５６が貫通する貫通孔５５とを含む。
【００４２】
図１４（ｂ）に示すように、脚部本体５３は、外方に向かって突出する４つの側部５３ａと、４つの側部５３ａを連結する底部５３ｂとを有する。脚部本体５３の底部５３ｂは、ペットハウス１を設置した場合に載置面７０に対して当接する部分である。脚部本体５３の側部５３ａと底部５３ｂとが交わる角部には、水抜き穴５４が設けられる。水抜き穴５４は、たとえば４つ設けられ、各辺に対して１つずつ設けられる。水抜き穴５４を設けることで、たとえば、内部空間４内に雨が入ったり、ペットが内部空間４内で失禁した場合であっても、内部空間４内の水分を外方に排水することができる。
【００４３】
脚部本体５３の底部５３ｂの略中央位置には、貫通孔５５が設けられる。ボルト５６を貫通孔５５に貫通して載置面７０に固定することで、ペットハウス１を載置面７０に固定することができる。
【００４４】
図１１に示すように、第２脚部５１は、第１空間４１の奥行き方向の略中央部に２つ設けられる。第２脚部５１は、第１脚部５０と比較して、貫通孔５５が設けられていない。
【００４５】
第３脚部５２は、第２空間４２の奥行き方向に整列して３つ設けられる。第３脚部５２は、第１脚部５０と比較して、水抜き穴５４および貫通孔５５が設けられていない。
【００４６】
なお、本実施の形態において、ペットハウス１の出入り口３は、前方および後方の２箇所に設けられるとしたが、いずれか１箇所であってもよい。その場合、出入り口３は、たとえば第１立壁面２４に設けられていてもよい。
【００４７】
＜ペットハウスの配置について＞
図１５（ａ）は、出入り口３Ａを１箇所有するペットハウス１Ａを模式的に示す斜視図であり、図１５（ｂ）は、そのペットハウス１Ａを敷地１００，２００内に配置した場合の一例を示す模式図である。図１６（ａ）は、出入り口３ａ，３ｂを対向して２箇所有するペットハウス１を模式的に示す斜視図であり、図１６（ｂ）は、そのペットハウス１を敷地１００，２００内に配置した場合の一例を示す模式図である。図１６の説明において、理解容易のため、前方に位置する出入り口を出入り口３ａとし、後方に位置する出入り口を出入り口３ｂとして説明する。なお、図１５（ｂ）において、ペットハウス１の出入り口３Ａの方向を白抜きで示した三角印（△）を用いて示している。図１６（ｂ）において、奥行き方向の前方に位置する出入り口３ａを使用する場合を白抜きで示した三角印（△）で示し、奥行き方向の後方に位置する出入り口３ｂを使用する場合を塗りつぶして示した三角印（▲）を用いて示す。
【００４８】
図１５，図１６を参照して、敷地１００，２００内におけるペットハウス１の配置の一例について説明する。図１５（ｂ）および図１６（ｂ）の敷地１００，２００内の構成は同一であり、敷地１００，２００内には、住宅１１０，２２０と、庭１１１，２２１とが設けられている。図１５（ｂ）に示すように、出入り口３Ａが１箇所設けられるペットハウス１Ａの場合、敷地１００内の庭１１１においては、２通りのペットハウス１Ａの配置パターンが考えられる。また、敷地２００内の庭２２１においては、３通りのペットハウス１Ａの配置パターンが考えられる。これにより、１箇所の出入り口３Ａを有するペットハウス１Ａは、様々な配置のバリエーションが考えられる。
【００４９】
図１６（ｂ）に示すように、出入り口３ａ，３ｂが２箇所設けられるペットハウス１の場合、敷地１００内の庭１１１においては、４通りのペットハウス１の配置パターンが考えられる。また、敷地２００内の庭２２１においては、８通りのペットハウス１の配置パターンが考えられる。これにより、２箇所の出入り口３ａ，３ｂを有するペットハウス１は、出入り口３Ａしか有さないペットハウス１Ａと比較して、配置パターンのバリエーションを飛躍的に多くすることが可能である。
【００５０】
＜ペットハウスの積み上げ方法について＞
図１７，図１８を参照して、ペットハウス１を積み上げる場合の一例について説明する。図１７は、複数のペットハウス１を積み上た場合の一例を示す斜視図である。図１８は、２つのペットハウス１を組み合わせた場合の一例を示す正面図である。
【００５１】
図１８に示すように、２つのペットハウス１を組み合わせる場合には、ペットハウス１の上下を反転させて、座面２３同士を上下に当接させ、第２立壁面２５と第３立壁面２６とを互いに当接させる。これにより、ペットハウス１は、図４に示すように、底面２１から座面２３までの高さＨ１と、座面２３から上面２２までの高さＨ２とは同一であるため、図１８に示すように、２つのペットハウス１を組み合わせることで正面視略平行四辺形になる。このように、２つのペットハウス１を入れ子状にすることで、正面視略平行四辺形のハウス集合体８ができる。これにより、図１７に示すように、複数のハウス集合体８を積層して並べることができるため、省スペースでより多くのペットハウス１を運送することが可能である。
【００５２】
なお、本実施の形態のペットハウス１，１Ａは、上面２２を有するとしたが、上面２２は、必ずしも平面である必要はなく、たとえば角張っていたり、円弧状の頂部であってもよい。
【００５３】
また、本実施の形態において、第１〜３立壁面２４〜２６は、上面２２に向かって収束するように設けられたが、限定的ではない。第１立壁面２４および第３立壁面２６は、たとえば、底面２１に対して垂直に設けられていてもよく、第２立壁面２５は、たとえば、座面２３に対して垂直に設けられていてもよい。
【００５４】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。
【符号の説明】
【００５５】
１，１Ａ  ペットハウス、２  ハウス本体、３，３Ａ，３ａ，３ｂ  出入り口、４  内部空間、８  ハウス集合体、２１  底面、２２  上面（頂部）、２３  座面、２４  第１立壁面、２４ａ  円弧部、２５  第２立壁面、２６  第３立壁面、３０  化粧板、３１  枠部、３２  被覆部、４１  第１空間（居住空間）、４２  第２空間（非居住空間）、４４  区画壁、４５  スノコ、４６  嵩上げ部、５０  第１脚部、５１  第２脚部、５２  第３脚部、５３  脚部本体、５３ａ  側部、５３ｂ  底部、５４  水抜き穴、５５  貫通孔、５６  ボルト、６０  支持部、６１  台座部、６２  突出部、６３  固定部、６４  ワイヤ、７０  載置面、１００，２００  敷地、１１０，２２０  住宅、１１１，２２１  庭。
【図１】
2020048535.tif 000003
【図２】
2020048535.tif 000004
【図３】
2020048535.tif 000005
【図４】
2020048535.tif 000006
【図５】
2020048535.tif 000007
【図６】
2020048535.tif 000008
【図７】
2020048535.tif 000009
【図８】
2020048535.tif 000010
【図９】
2020048535.tif 000011
【図１０】
2020048535.tif 000012
【図１１】
2020048535.tif 000013
【図１２】
2020048535.tif 000014
【図１３】
2020048535.tif 000015
【図１４】
2020048535.tif 000016
【図１５】
2020048535.tif 000017
【図１６】
2020048535.tif 000018
【図１７】
2020048535.tif 000019
【図１８】
2020048535.tif 000020